(57)【要約】      （修正有）【課題】害虫防除効力が高く、複数個の防除体ユニットを連結することができ、複数個の防除体ユニットを連結した場合には複数種の防除態様を同時に実現することができ、薬剤蒸散による防除を行う場合は薬剤蒸散量の調節をすることができ、更に設置場所に応じた全体形状の変更が可能である防除体ユニットを提供する。【解決手段】収容部４と、挿入片７及び掛止部８から成る挿入部５と、開口部９及び開閉部１０から成る被挿入部６とを有する収容体２と、害虫の捕獲、害虫の忌避又は殺虫を実現することができ、前記収容部４に収容される害虫防除体３とを備えて成り、前記収容体２は、一個の収容体４において掛止部８と開閉部１０とが係合可能であり、複数の収容体間においても相互の掛止部８と開閉部１０とが係合可能であることを特徴とする。【選択図】図１
0003152048.tif 000002
【実用新案登録請求の範囲】
【請求項１】
収容部と、挿入片及び掛止部から成る挿入部と、開口部及び開閉部から成る被挿入部とを有する収容体と、
害虫の捕獲、害虫の忌避又は殺虫を実現することができ、前記収容部に収容される害虫防除体とを備えて成り、
前記収容体は、一個の収容体において掛止部と開閉部とが係合可能であり、複数の収容体間においても相互の掛止部と開閉部とが係合可能であることを特徴とする防除体ユニット。
【請求項２】
前記被挿入部は、前記挿入部が設けられる前記収容体の対辺、又は、前記挿入部から前記収容体を横断した部位に設けられる請求項１に記載の防除体ユニット。
【請求項３】
前記害虫防除体が薄板状であり、
一部を折り返すことにより、前記害虫防除体を内側に挟持可能と成る形態の前記収容体において、前記収容体の折目に被挿入部を設ける請求項１又は２に記載の防除体ユニット。
【考案の詳細な説明】
【技術分野】
【０００１】
この考案は、防除体ユニットに関し、更に詳しくは、害虫防除効力が高く、複数個の防除体ユニットを連結することができ、複数個の防除体ユニットを連結した場合には例えば害虫の捕獲、害虫の忌避及び殺虫なる防除態様から夫々１個ずつ連結することにより、複数種の防除態様を同時に実現することができ、薬剤蒸散による防除を行う場合は薬剤蒸散量の調節をすることができ、更に設置場所に応じた全体形状の変更が可能である害虫防除効果を有する防除体ユニットに関する。
【背景技術】
【０００２】
従来、害虫を防除する目的で薬剤を蒸散させる害虫防除体が用いられてきた。
【０００３】
特許文献１に記載の「薬剤保持体」は、「油溶性の蒸散性薬剤を保持及び／又は蒸散させる薬剤保持体の構成部材が、複数の単層シートを接着剤によって貼り合わせた複層シートであり、かつ、該接着剤が天然又は合成の水溶性接着剤である」（特許文献１の請求項１参照）。特許文献１には、「複数の有効成分保持層を構造体中心から同心円上に配する構造とした場合、内部ほど通気が悪く蒸散量が低下するので、内部に易蒸散性成分を、通気のよい外部に難蒸散性成分を保持させ、双方の成分の蒸散量を調整することが可能となる」と記載されており（特許文献１の段落番号００４０欄参照）、具体的な実施態様としては、「・・・ファン３０を回転させると、上部より流入した空気を、ファン３０により内部空間Ｓから外周に向って各セル３内を強制的に通気させることができるので、・・・有効成分の蒸散を促進することができ、また有効成分の蒸散量はファンの風力（回転数、羽根のサイズ、数、形状等）によって任意に調節できる」ハニカム構造体、及び「所望の蒸散量に応じた長さ分だけ、薬剤保持体４５を引き下げて露出するようにするといった蒸散調整が可能となる」自動巻取ロールスクリーン方式の薬剤蒸散装置４０が示されている（特許文献１の段落番号００５１欄、００５２欄、００５７欄及び００５８欄並びに図１５〜１７参照）。
【０００４】
特許文献２に記載の「蒸散材」は、「通気性を有し相互に離隔された複数の収納室を一方向に並設した支持部材と、蒸散成分を含浸させ前記各収納室内に収納される複数の含浸体とを備え」ていると記載されている（特許文献２の請求項１参照）。
【０００５】
特許文献３に記載の「環状シート型害虫駆除剤」は、「害虫防除の対象となる植物を地面に沿って囲める径の樹脂製の環状シートを設け、この環状シートは環の周方向に１箇所以上で分割可能に設けると共に、樹脂に揮発性殺虫成分および不揮発性殺虫成分を分散状態に保持させてなる」と記載されている（特許文献３の請求項１参照）。
【０００６】
特許文献１〜３に示される防除体において、蒸散する薬剤量を調節するには装置の大型化を生じることがあった。また、特許文献１〜３に示される防除体は、装置の形状及び害虫の防除方法が固定されてしまうので、設置場所毎に装置の形状を設計し直す必要性、及び害虫毎及び防除方法毎に装置を変更する必要性が生じることもあった。複数の防除方法を実現するには、複数の防除体を設置する必要があり、防除体の設置領域の肥大化を招いていた。
【先行技術文献】
【特許文献】
【０００７】
【特許文献１】特開２０００−２０４００５号公報
【特許文献２】特開２００２−２４１２０２号公報
【特許文献３】特開２００３−４７３８４号公報
【考案の概要】
【考案が解決しようとする課題】
【０００８】
この考案が解決しようとする課題は、害虫防除効力が高く、複数個の防除体ユニットを連結することができ、複数個の防除体ユニットを連結した場合には例えば害虫の捕獲、害虫の忌避及び殺虫を夫々１個ずつ連結することにより、複数種の防除態様を同時に実現することができ、薬剤蒸散による防除を行う場合は薬剤蒸散量の調節をすることができ、更に設置場所に応じた全体形状の変更が可能である防除体ユニットを提供することである。
【課題を解決するための手段】
【０００９】
前記課題を解決するための手段としては、
（１）収容部と、挿入片及び掛止部から成る挿入部と、開口部及び開閉部から成る被挿入部とを有する収容体と、
害虫の捕獲、害虫の忌避又は殺虫を実現することができ、前記収容部に収容される害虫防除体とを備えて成り、
前記収容体は、一個の収容体において掛止部と開閉部とが係合可能であり、複数の収容体間においても相互の掛止部と開閉部とが係合可能であることを特徴とする防除体ユニット、
（２）前記被挿入部は、前記挿入部が設けられる前記収容体の対辺、又は、前記挿入部から前記収容体を横断した部位に設けられる（１）に記載の防除体ユニット、及び、
（３）前記害虫防除体が薄板状であり、
一部を折り返すことにより、前記害虫防除体を内側に挟持可能と成る形態の前記収容体において、前記収容体の折目に被挿入部を設ける（１）又は（２）に記載の防除体ユニットを挙げることができる。
【考案の効果】
【００１０】
この考案によると、害虫防除効力が高く、収容体同士が連結可能であるので、複数個の防除体ユニットを連結した場合には例えば害虫の捕獲、害虫の忌避及び殺虫なる防除態様から夫々１個ずつ連結することにより、複数種の防除態様を同時に実現することができ、薬剤蒸散による防除を行う場合は連結する収容体の数を調節することによって薬剤蒸散量の調節をすることができ、更に設置場所に応じた形状変更が可能である防除体ユニットを提供することができる。
また、この考案によると、挿入部が設けられる収容体の対辺、又は、挿入部から収容体を横断した部位に被挿入部が設けられることにより、同様の形状を成す複数の収容体を一軸方向に並べて連結することができ、連結体の全体形状を様々に変形し易い防除体ユニットを提供することができる。
更に、この考案によると、一部を折り返すことにより害虫防除体を挟持することができるので作製が簡便であり、折目に被挿入部を設ければ良いので、被挿入部の位置決定が容易である防除体ユニットを提供することができる。
【図面の簡単な説明】
【００１１】
【図１】図１は、この考案に係る防除体ユニットの一実施態様を示す概略図である。
【図２】図２は、図１に示した防除体ユニットの部分拡大図である。
【図３】図３は、図１に示した防除体ユニットにおける収容体の展開図である。
【図４】図４は、図１に示した防除体ユニットの連結組立図である。
【図５】図５は、この考案に係る防除体ユニットの他の実施態様を示す斜視図である。
【考案を実施するための形態】
【００１２】
以下に、この考案に係る防除体ユニットについて、図面に示す実施態様を参照しつつ、説明する。
【００１３】
図１に示すように、この考案の一実施例である防除体ユニット１は、収容体２と害虫防除体３とを備えて成る。
【００１４】
前記収容体２は、収容部４と挿入部５と被挿入部６とを備える。図１に示す収容体２は、全体形状が略矩形を成し、収容体２の短辺部に挿入部５及び被挿入部６が１組設けられており、長辺部に挿入部５及び被挿入部６が３組設けられている。
【００１５】
前記収容部４は、害虫防除体３を収容可能な収容体２の内部領域である。収容部４の形状及び大きさは、後述の害虫防除体３の形状及び大きさに応じて決定すれば良い。平面図で示した図１では判別し難いが、薄板状の害虫防除体３を収容可能な空隙が、収容部４として収容体２内部に設けられている。図１に示す収容体２は、害虫防除体３の周縁近傍以外の大部分が露出するように、開放状態である。なお、害虫防除体３を露出させる開放部１８については、図３を参照しつつ後述することにする。
【００１６】
挿入部５は、挿入片７及び掛止部８から成る。また、被挿入部６は、開口部９及び開閉部１０から成る。ここで、挿入部５及び被挿入部６について、図２を参照しつつ詳述する。
【００１７】
図２は、挿入部５と被挿入部６との対照拡大図である。挿入部５は被挿入部６に挿入可能であり、また抜去も可能である。挿入部５及び被挿入部６の大きさについて言うと、先ず挿入部５の幅Ｗ及び被挿入部６の幅Ｗ２を決定すると良い。挿入部５の幅Ｗは、挿入片７と掛止部８との接点同士間における最短距離である。また、被挿入部６の幅Ｗ２は、一方の開閉部１０の端部から他方の開閉部１０の端部までの最短距離である。図２においては、挿入部５の幅Ｗと被挿入部６の幅Ｗ２とが同一であるが、この考案に係る防除体ユニットにおいては挿入部の幅Ｗと被挿入部の幅Ｗ２とが同一である必要は無い。挿入部の幅Ｗが被挿入部の幅Ｗ２よりも大きい場合は、挿入部を被挿入部に挿入するときに、挿入部を傾けつつ一方の掛止部を挿入した後に、他方の掛止部の挿入を行う必要がある。挿入部の幅Ｗが被挿入部の幅Ｗ２よりも小さい場合は、挿入部を被挿入部に挿入し易い。なお、挿入部５の被挿入部６への挿入については、後述する。
【００１８】
挿入片７は、収容体２の外縁から突出する扇形の薄片である。また、開口部９は、収容体２の周縁部に開口する貫通孔である。挿入片７は、開口部９内に挿入することができる。掛止部８は、挿入片７と収容体２の外縁との結合部分に設けられる切れ込みである。また、開閉部１０は、開口部９の一端部及び多端部に設けられる、外力に応じて開閉可能な切目である。挿入部５の被挿入部６内への挿入が完了した場合、被挿入部６内の掛止部８が閉状態の開閉部１０に係合することにより、挿入部５が被挿入部６から容易に脱落しないようになっている。
【００１９】
図２において扇形で示される挿入片７は、その周縁部が先行部１１と押開部１２とから成る。先行部１１は、開口部９の幅に相当する部位から挿入片７の外周部に至るまでの部分であり、挿入部５が被挿入部６に挿入される際に、開口部９内に最初に進入する部位である。なお、図２においては、先行部１１を視認し易いように斜線を付して示している。挿入片７の周縁部における先行部１１以外の箇所、すなわち開口部９の端部から開閉部１０の端部までの幅に相当する部位が、押開部１２である。図２においては、押開部１２を視認し易いように、先行部１１とは異なる斜線を付して示している。押開部１２は、挿入部５が被挿入部６に挿入される際に、開閉部１０を押し開く部位である。更に、掛止部８が収容体２から突出し始める点である基点１３及び基点１４の幅Ｗ３は、図２においては開口部９の幅Ｗ４と同一に示したが、この考案に係る防除体ユニットにおいては掛止部の基点間の幅が開口部の幅よりも小さくとも良い。図２に示すように、基点１３及び基点１４間の幅Ｗ３と開口部９の幅Ｗ４とが同一であると、挿入部５の被挿入部６への挿入が完了した後に、挿入部５が被挿入部６内でガタつかなくて済むことになる。
【００２０】
挿入部５の被挿入部６への挿入を説明すると、先ず挿入片７における先行部１１を開口部９に挿入する。先行部１１の開口部９内への挿入が完了した時点で、開口部９は先行部１１により塞がれていることとなる。更に挿入部５を被挿入部６へ挿入しようとすると、挿入部５を挿入しようとする力が挿入片７における押開部１２を介して開閉部１０に伝達され、開閉部１０が押開部１２により押し開かれる。開閉部１０が押し開かれると、挿入部５は被挿入部６内に、更に進入可能となる。押開部１２が開閉部１０を通過し、更に掛止部８が開閉部１０を通過するまでは、開閉部１０は開状態を維持する。掛止部８が開閉部を通過すると、掛止部８の根元部分、すなわち掛止部８の基点１３及び基点１４が開口部９の端部に当接することとなる。このとき開閉部１０は閉状態と成っており、被挿入部６には収容体２の端縁、前記基点１３及び基点１４が当接することにより、挿入部５の被挿入部６への挿入が完了する。
【００２１】
挿入部５の挿入が完了すると、開閉部１０が閉状態であるので、挿入部５を被挿入部６から抜去する力を加えることにより掛止部８が開閉部１０を開状態にしない限りは、掛止部８が被挿入部６内で留まることになり、挿入部５が被挿入部６から容易に脱落することが無い。
【００２２】
なお、この考案に係る防除体ユニットにおいて、挿入部の幅Ｗと被挿入部の幅Ｗ２とが同一である場合、又は、挿入部の幅Ｗよりも被挿入部の幅Ｗ２が大きい場合は、挿入部及び被挿入部が複数組設けられている収容体同士を連結するときに、円滑に連結操作を行い易い。
【００２３】
また、挿入部が被挿入部に挿入可能である限り、収容体２における挿入部５及び被挿入部６が設けられる位置、挿入部５及び被挿入部６の形状、大きさ並びに数は、特に制限されない。図２に示すように、掛止部８と収容体２の端縁とが鋭角を成すような掛止部８を設けることにより、挿入部５を被挿入部６に一旦挿入すると容易に脱落しないので、好ましい。
挿入部及び被挿入部が設けられる位置についての好ましい態様としては、挿入部が設けられる前記収容体の対辺、又は、前記挿入部から前記収容体を横断した部位に被挿入部が設けられる態様を挙げることができる。１組の対辺において、一方には挿入部を設け、他方には被挿入部を設ける態様は、収容体の全体形状が多角形であるときに採用すると良い。また、挿入部を設けた箇所から収容体を横断した部位に被挿入部を設ける態様は、収容体の全体形状が、対辺を特定できない円形又は曲線で構成される形状であるときに採用すると良い。上記好ましい態様は、図１に示した収容体２において採用されている。つまり、図１に示す収容体２において、挿入部５が設けられる一方の長辺部の対辺、すなわち他方の長辺部に被挿入部６が設けられている。図１に示す収容体２の短辺部においても同様である。
図１に示す挿入部５及び被挿入部６は、対辺の一方に挿入部５を設けると共に、対辺の他方に被挿入部６を設けることにより、同様の収容体２を複数個、一軸方向にかつ同方向に並べて連結することができるようになる。収容体２を連結することができると、この考案に係る防除体ユニットの全体形状を様々に変更することができる。
【００２４】
この考案に係る防除体ユニットの更なる好ましい態様としては、害虫防除体が薄板状であり、収容体の一部を折り返すことにより前記害虫防除体を内側に挟持することができ、更に収容体の折目に被挿入部を設ける態様を挙げることができる。図１に示す防除体ユニット１が、この好ましい態様を採用しており、収容体２を展開して示すとその態様を理解し易いので、図３に収容体２の展開図を示す。図１に示す防除体ユニット１における収容体２の態様及び作製方法について、図３を参照しつつ説明する。なお、図１に示した収容体２と、図３に示す収容体２とにおいて、同一の番号を付した共通の部材については、詳しい説明を省略することがある。
【００２５】
図３には、図１において害虫防除体３をその内部に収容していた収容体２が、害虫防除体３を除去し、更に展開された状態で示されている。
【００２６】
収容体２における挿入部５は、種々の方法により形成することができ、例えば収容体２が薄板である場合には打ち抜き加工等により形成することができる。
【００２７】
図３に示すように、開口部９は、収容体２を展開した状態で、矩形の貫通孔を設けることにより形成されている。また、図１に示す収容体２の短辺部に設けられる開口部９、すなわち図１における下方に設けられる開口部９は、図３に示すように収容体２の一部に突出する折代１５の折目１６に貫通孔を設けることにより形成されている。
【００２８】
収容体２における開閉部１０は、収容体２を展開した状態の略中央部に設けられる折目１７に沿って切目を入れることにより、形成される。
【００２９】
また、害虫防除体３が収容体２の外面に露出することができるように、収容体２の一部が切り取られることにより、開放部１８が形成されている。害虫防除体３が薬剤を蒸散可能である場合には、所望の薬剤の蒸散量に応じて開放部１８の大きさを決定すれば良い。開放部１８の位置、数及び形状については特に制限は無い。
【００３０】
なお、折代１５、折目１６及び折目１７は、収容体２に必須の要素ではなく、収容体２の作製及び収容体２同士の連結が簡便になるように設けられる部位である。
【００３１】
挿入部５、被挿入部６及び開放部１８が形成された後に、折代１５を収容体２内部となる側に、折目１６に沿って折り、更に折目１７に沿って折ることにより、図１に示すような収容体２を作製することができる。収容体２の作製過程において、折目１７に沿って折る前に、害虫防除体（図３には図示せず）を収容体２の内側となる面に挟み込むことにより、図１に示す防除体ユニット１を一挙に作製することができる。すなわち、図１及び３に示す収容体２は、一部を折り返すだけで害虫防除体３を収容部４内に収まるように挟み込むことができるので、作製が簡便である。また、収容体２の折目１６及び１７に被挿入部６を設ければ良いので、被挿入部６の位置決定が容易でもある。
【００３２】
収容体２の材料としては、害虫防除体３をその内部に収容することができ、且つ害虫防除体３によって変質しない限り、特に制限されず、例えば紙、合成樹脂、金属、木材及びセラミックスからなる群より選択される少なくとも１種を用いることができる。
【００３３】
この考案に係る防除体ユニットにおける収容体は、同一の収容体において掛止部と開閉部とが係合可能であり、複数の収容体間においても相互の掛止部と開閉部とが係合可能である。すなわち、図１に示す防除体ユニット１を例えば筒状に変形させた状態で挿入部５を被挿入部６に挿入することにより、掛止部８と開閉部１０とが係合するので、筒状を保持した状態の、換言すると立体形状を成す防除体ユニット１を得ることができる。また、複数の防除体ユニット１における各挿入部５を各被挿入部６に挿入することにより、各掛止部８と各開閉部１０とが係合するので、面積の大きい防除体ユニット連結体を得ることができる。更に、複数の防除体ユニット１を連結し、その連結体の一端と他端に配された防除体ユニット１における各挿入部５を各被挿入部６に挿入することにより、各掛止部８と各開閉部１０とが係合するので、体積の大きな立体形状を成す防除体ユニット１の集合体を得ることができる。
【００３４】
この考案に係る防除体ユニットは、単数又は複数で、掛止部と開閉部とを係合させることにより、挿入部と被挿入部とを連結することができるので、設置場所に応じた全体形状の変更を行うことができる。例えば、この考案に係る防除体ユニットの設置場所が、狭小である場合には、単数の防除体ユニットを用いると良い。前記設置場所が面積は大きいが大きな設置空間を確保できない場合には、複数の防除体ユニットを連結することにより面積の大きな連結体を用いると良い。前記設置場所が面積及び設置空間が共に大きい場合には、複数の防除体ユニットを連結した面積の大きな連結体を用いても良く、また、防除体ユニットを連結し、更に立体形状に構成した連結体を用いても良い。
【００３５】
なお、この考案に係る防除体ユニットを連結し、更に立体形状に構成した連結体を用いると、設置場所の天井面又は壁面からこの考案に係る防除体ユニットを吊下することもでき、更に床面にこの考案に係る防除体ユニットを自立させて設置することもできる。
【００３６】
図４に示すのは、この考案に係る防除体ユニットを複数連結させて立体形状を成すようにした集合体であり、詳しく言うと、図１に示す防除体ユニット１を３つ連結し、更に３つの防除体ユニット１のうち両端に位置する防除体ユニット１の挿入部５を、被挿入部６に挿入することにより、全体形状として三角筒体を成す防除体ユニット１の集合体である。各防除体ユニット１における部材の説明は省略することとする。
【００３７】
図４に示す防除体ユニット１の集合体は、筒体であるので自立することができ、また図４における上方に設けられた挿入部５にフック又は紐状部材等の吊下部材を取り付けることにより吊下することもできる。つまり、図４に示す防除体ユニット１の集合体は、様々な設置場所に対応可能である。更に言うと、薬剤を蒸散させることのできる害虫防除体３を用いる場合は、連結する防除体ユニット１の数を調節することにより、薬剤蒸散量も任意に調節することができる。
【００３８】
続いて、この考案に係る防除体ユニットにおける害虫防除体について説明する。図１及び図４に示す害虫防除体３は、薬剤を蒸散することのできる薄板である。なお、この考案に係る防除体ユニットにおける害虫防除体は、様々な防除態様を実現することができる。前記防除態様としては、例えば殺虫、害虫の捕獲及び害虫の忌避等を挙げることができる。複数の収容体２を連結したときの防除態様の組合せについては、後述する。例えば、殺虫又は害虫の忌避を目的とする場合は、殺虫成分又は害虫の忌避成分を含有する薬剤を蒸散することのできる害虫防除体、例えば薬剤を含浸させた薄板状の繊維集合体等を採用すれば良い。また、害虫の捕獲を目的とする場合は、粘着性物質により表面加工処理された害虫防除体、例えば粘着シート等を採用すれば良い。
【００３９】
害虫防除体３の形状としては、例えば立方体、直方体、平面形状が矩形、多角形、円形及び楕円形の板体、角柱体、円柱体、球体並びに半球体等を挙げることができる。害虫防除体３の材料としては、例えば薬剤を含浸させる場合は薬剤によって変質しない材料、粘着性物質により表面加工処理を行う場合は粘着性物質によって変質しない材料等を用いれば良く、更に具体的には、繊維集合体、紙、合成樹脂、金属、木材及びセラミックスから成る群より選択される少なくとも１種を採用することができる。
【００４０】
この考案に係る防除体ユニットにおける害虫防除体の材料として好ましいのは、繊維集合体である。害虫防除体の材料に成り得る繊維としては、繊維を集合体とした場合に、後述の薬剤を含浸させることができ、薬剤によって変質しない繊維、好ましくは薬剤を長期間に亘って蒸散させ続けることのできる繊維を選択すれば良い。前記繊維としては、天然繊維又は化学繊維を用いることができる。更に具体的に言うと、例えば木材パルプ、バガスパルプ及びワラパルプ等の非木材パルプ、古紙パルプ、綿、麻、羊毛並びに絹等の天然繊維、レーヨン、キュプラ、及びアセテート等の再生繊維又は半合成繊維、並びにアクリル繊維等の合成繊維等を挙げることができる。特に好ましいのは、良好な吸湿性及び吸水性を有する木材パルプ等の天然繊維並びにレーヨン等の再生繊維である。木材パルプを用いて形成される害虫防除体は、薬剤は均等に分散し易く、薬剤が安定して蒸散し易くなるので好ましい。前記繊維は、上述した繊維から１種類のみ選択して用いても良く、複数種選択して用いても良い。
【００４１】
前記害虫防除体を繊維集合体により形成する場合には、織物、編物又は不織布のいずれであっても良い。繊維集合体である前記害虫防除体の形成方法としては、交錯、絡合、接着又は絡合及び／又は接着以外の非交錯等を挙げることができる。また、織物、編物、フェルト、パイル、タフトを形成した繊維集合体及び不織布の薄板を先ず形成し、薄板を積層することにより害虫防除体を形成しても良い。この害虫防除体は、単層体であっても積層体であっても良い。
【００４２】
前記薬剤としては、特に制限は無く、この発明に係る害虫防除体の設置場所の気圧及び温度並びに駆除する害虫の種類等に応じて決定すれば良い。
【００４３】
この考案に係る防除体ユニットの防除対象となる害虫としては、例えばハエ類、イエバエ類、蚊類、ゴキブリ類及びノミ類等の衛生害虫、チョウバエ類及びユスリカ類等の不快害虫、カツオブシムシ類等の衣料害虫並びにシバンムシ類及びコクゾウムシ類等の貯穀害虫等を挙げることができる。特に、この考案に係る防除体ユニットは、人間の生活圏に生息し、かつ人間の生活に悪影響を及ぼす害虫を効果的に防除することができる。
【００４４】
前記害虫を防除する薬剤としては、例えばピレスロイド系化合物、カルバメート系化合物、ネオニコチノイド系化合物、昆虫生育制御剤、マクロライド系化合物及びフェニルピラゾール系化合物等を用いることができる。更に詳しく言うと、ピレスロイド系化合物としては、例えばメトフルトリン、プロフルトリン、トランスフルスリン、テラレスリン、フタルスリン、イミプロスリン、アレスリン、Ｄ−テトラメトリン、レスメトリン、フラメトリン、フェノトリン、ペルメトリン、シフェノトリン、ブラトリン、エトフェンプロックス、シルフトリン、シクロプロトリン、フェンバレレート、エスフェンバレレート、シラフルオフェン、アクリナトリン、フェンプロパトリン、テフルトリン及びエンペンスリン等を用いることができる。カルバメート系化合物としては、例えばカルボスルファン、ベンフラカルブ及びチオジカルブ等を用いることができる。ネオニコチノイド系化合物としては、例えばアセタミプリド、イミダクロプリド、チアクロプリド、ニテンピラム、クロチアニジン、チアメトキサム及びジノテフラン等を用いることができる。昆虫生育制御剤としては、例えばクロルフルアズロン、フルフェノクスロン、ルフェヌロン、ブプロフェジン、ピリプロキシフェン、テブフェノジド、メトキシフェノジド及びクロマフェノジド等を用いることができる。マクロライド系化合物としては、例えばアバメクチン、エマメクチン安息香酸塩及びスピノサド等を用いることができる。フェニルピラゾール系化合物としては、例えばフィプロニルを用いることができる。
【００４５】
前記害虫防除体が含有する薬剤は、上述した化合物から１種類のみ選択して用いても良く、防除効果が低下又は消失しない組み合わせで複数種選択して用いても良い。
【００４６】
なお、前記薬剤には、上述した化合物の他に、害虫を引き寄せる害虫誘引剤も混合して用いることができる。併用可能な害虫誘引剤としては例えばダイアモルア、ピーチフルア、スウィートビルア及びメチルオイゲノール等を挙げることができる。
【００４７】
前記薬剤は、上述した化合物を水溶液又はその他のゾル状態とした後に前記害虫防除体に含有させれば良い。なお、前記薬剤を前記害虫防除体に含有させる方法としては、適宜に選択すれば良く、例えば害虫防除体に薬剤を滴下する方法、害虫防除体に薬剤を塗布する方法及び害虫防除体を薬剤中に浸す方法等を挙げることができる。
【００４８】
図４に示す防除体ユニット１の集合体は、様々な防除態様を同時に実現することもできる。詳しく言うと、複数個の防除体ユニット１を連結したときに、各防除体ユニット１において上述した防除態様である殺虫、害虫の捕獲及び害虫の忌避を夫々選択することにより、複数種の防除態様を同時に実現することができる。防除態様の組合せとしては、例えば殺虫及び害虫の捕獲の組合せ、殺虫及び害虫の忌避の組合せ、害虫の捕獲及び忌避の組合せ、並びに殺虫、害虫の捕獲及び忌避の組合せ等を挙げることができる。この考案に係る防除体ユニットが防除する害虫は１種類に限らないので、特定の害虫は殺虫又は捕獲し、別の害虫は忌避するという防除も実現することができる。更に言うと、例えば図４に示される連結された３つの防除体ユニット１の内、１つは殺虫成分を有効成分とする薬剤を含んだ害虫防除体３を備える防除体ユニット１であり、残りの２つは粘着性物質により表面加工されて害虫を捕獲可能にした害虫防除体３を備える防除体ユニット１である場合には、殺虫成分により弱体化した害虫を捕獲することができる。これは、害虫の死骸を設置場所に落下させたくないときに有効な防除方法である。ここで例示しないその他の防除態様の組合せも、この考案の目的を達成することができる限り、採用することができる。もっとも、連結する複数の防除体ユニットが全て同一の防除方法であっても良く、強力な防除効果を発揮することができる。
【００４９】
続いて、前記害虫防除体が薄板以外の形状である実施態様を、図５を参照しつつ説明する。図５に示す防除体ユニット１０１と、図１及び図４に示す防除体ユニット１との相違点は、収容体及び害虫防除体の形状である。この相違点以外については、図５に示す防除体ユニット１０１と、図１及び図４に示す防除体ユニット１とは同様の部材を採用したので、詳細な説明を省略することとする。
【００５０】
防除体ユニット１０１における害虫防除体３０１は円柱体であり、収容体２０１は害虫防除体３０１に合わせた形状を成す。収容体２０１は、上環１９、支柱２０及び下環２１を有して成る。上環１９及び下環２１は、環状体であり、夫々の内径は害虫防除体３０１の直径より僅かに大きい程度に設計されている。支柱２０は、上環１９及び下環２１を結合する棒状体であり、図示していないが害虫防除体３０１の長軸に合わせた長さに設計されている。
【００５１】
前記上環１９の頂面２２には、挿入部５が突出している。前記下環２１の頂面２３には被挿入部６が設けられている。下環２１の頂面２３における被挿入部６は、図５には図示していないが、開口部９及び開閉部１０が頂面２３とは反対側の底面まで貫通して設けられている。また、下環２１の内周面２４には、害虫防除体３０１が自重により図５における下方に脱落しないように脱落防止部２５を設けている。脱落防止部２５は、下環２１の略中央部を通る２本の棒状体である。
【００５２】
前記支柱２０の内側面である内摺面２６は、害虫防除体３０１が上環１９から脱落防止部２５に当接するまで挿入されるときに、害虫防除体３０１の外周面を摺接すると共に、害虫防除体３０１を案内する部材である。
【００５３】
図５に示す挿入部５、上環１９、支柱２０、下環２１及び脱落防止部２５は、一体的に形成されても良く、夫々を別体的に形成した後に組み立てても良い。また、防除体ユニット１０１は、収容体２０１内に害虫防除体３０１が配置されることにより完成するが、害虫防除体３０１が薬剤を含む態様を採用する場合には、薬剤を害虫防除体３０１に含ませる時機は、収容体２０１内に害虫防除体３０１を挿入配置する前後のいずれであっても良い。
【００５４】
図５に示す防除体ユニット１０１は、単数で使用しても害虫防除を達成することができ、複数連結すると多様な害虫防除効果を達成することができる。防除体ユニット１０１の連結方法は、ある防除体ユニット１０１における上環１９の頂面２２に配設された挿入部５を、別の防除体ユニット１０１における下環２１の底面（図示せず）に設けられた被挿入部６に挿入することにより、達成される。すなわち、防除体ユニット１０１は、その長軸方向に連結することができることとなる。なお、同一の防除体ユニット１０１における挿入部５を被挿入６に挿入するには、支柱２０を延長し、収容体２０１が環状を成すように変形させることにより、上環１９における頂面２２と下環２１における頂面２３とを合わせるようにすれば良い。
【００５５】
この考案に係る防除体ユニットは、上述した実施態様に制限されず、この考案の目的を達成することができる限りにおいて種々の設計変更が可能である。
【産業上の利用可能性】
【００５６】
この考案に係る防除体ユニットは、屋外に及び屋内に発生する種々の害虫を防除することができる。
【符号の説明】
【００５７】
１、１０１  防除体ユニット
２、２０１  収容体
３、３０１  害虫防除体
４    収容部
５    挿入部
６    被挿入部
７    挿入片
８    掛止部
９    開口部
１０  開閉部
１１  先行部
１２  押開部
１３、１４  基点
１５  折代
１６、１７  折目
１８  開放部
１９  上環
２０  支柱
２１  下環
２２、２３  頂面
２４  内周面
２５  脱落防止部
２６  内摺面
Ｗ    挿入部の幅
Ｗ２  被挿入部の幅
Ｗ３  掛止部の基点間の幅
Ｗ４  開口部の幅
【図１】
0003152048.tif 000003
【図２】
0003152048.tif 000004
【図３】
0003152048.tif 000005
【図４】
0003152048.tif 000006
【図５】
0003152048.tif 000007